(57)【特許請求の範囲】
【請求項１】
幅方向に間隔をあけて垂直方向に伸延する一対の支柱と、該支柱間に間隔をあけて横架される複数の踏み桟と、前記支柱の下端同士を連結する下部連結管と、上端が前記支柱の中途部に揺動自在に枢支されると共に下端が前記支柱の下端面より下方に伸延して床面上に設置可能な補助支柱と、該補助支柱と前記下部連結管との間に伸縮自在に開設され、前記補助支柱の幅方向の張り出し量を規制する張り出し量調整管とから構成される開脚機能を有する昇降枠において、
前記支柱の横断面を横側方に開口するコ字状断面に形成すると共に、前記補助支柱の横断面を前記コ字状断面に嵌入可能な形状となし、前記張り出し量調整管が最大縮退位置にあるとき、前記補助支柱が前記支柱内に嵌入され、
前記補助支柱は、前記支柱の外側面に揺動自在に支持される揺動脚と、該揺動脚に摺動自在に嵌入される伸縮脚と、前記揺動脚の内面下部に取付けられ前記揺動脚に前記伸縮脚を固定可能な固定装置とから構成され、前記支柱の下端部に前記固定装置を嵌入可能な貫通孔が形成され、前記最大縮退位置において、前記固定装置が前記貫通孔を通して前記支柱の内側に進出することを特徴とする開脚機能を有する昇降枠。
【請求項２】
幅方向に間隔をあけて垂直方向に伸延する一対の支柱と、前記支柱の上、下端同士を連結する上、下部連結管と、上端が前記支柱の中途部に揺動自在に枢支されると共に下端が前記支柱の下端面より下方に伸延して床面上に設置可能な補助支柱と、該補助支柱と前記下部連結管との間に伸縮自在に開設され、前記補助支柱の幅方向の張り出し量を規制する張り出し量調整管とから構成される開脚機能を有する開口枠において、
前記支柱の横断面を横側方に開口するコ字状断面に形成すると共に、前記補助支柱の横断面を前記コ字状断面に嵌入可能な形状となし、前記張り出し量調整管が最大縮退位置にあるとき、前記補助支柱が前記支柱内に嵌入され、
前記補助支柱は、前記支柱の外側面に揺動自在に支持される揺動脚と、該揺動脚に摺動自在に嵌入される伸縮脚と、前記揺動脚の内面下部に取付けられ前記揺動脚に前記伸縮脚を固定可能な固定装置とから構成され、前記支柱の下端部に前記固定装置を嵌入可能な貫通孔が形成され、前記最大縮退位置において、前記固定装置が前記貫通孔を通して前記支柱の内側に進出することを特徴とする開脚機能を有する開口枠。
【発明の詳細な説明】
【０００１】
【発明の属する技術分野】
本発明は、梯子、梯子兼用脚立、脚立、足場作業台、作業タワー等に用いられる開脚機能を有する昇降枠及び開口枠に関する。
【０００２】
【従来の技術】
従来、梯子、梯子兼用脚立、脚立、足場作業台、作業タワー等に用いられる昇降枠の一形態として図１０に示す形態の昇降枠８０がある。
この昇降枠８０は、図示するように、幅方向に間隔をあけて垂直方向に伸延する一対の支柱８１、８２と、支柱８１、８２間に間隔をあけて横架される複数の踏み桟８３と、支柱８１、８２の下端同士を連結する下部連結管８７と、上端が支柱８１、８２の外側面に揺動自在に枢支されると共に下端が支柱８１、８２の下端面より下方に伸延して床面８４上に設置可能な補助支柱８５、８６と、補助支柱８５、８６と下部連結管８７との間に伸縮自在に開設され、補助支柱８５、８６の幅方向の張り出し量を規制する張り出し量調整管８８、８９とから構成される。なお、図１０は、昇降枠８０を足場作業台の支持脚として用いた場合を示しているので、支柱８１、８２の各上端は天板７９の一端に連結されている。
【０００３】
また、各補助支柱８５、８６は、左右対象の同一構成を有し、支柱８１、８２の外側面に揺動自在に支持される揺動脚９０と、揺動脚９０に摺動自在に嵌入される伸縮脚９１と、揺動脚９０の内面下部に取付けられ揺動脚９０に伸縮脚９１を固定可能な固定装置９２とから構成されている。
【０００４】
上記した構成によって、張り出し量調整管８８、８９の伸縮量を適宜調整することによって、昇降枠８０の補助支柱８５、８６の張り出し量を調整することができる。また、下部連結管８７の両端には、それぞれ、張り出し量調整管８８、８９を任意の伸縮位置で固定することができる固定装置９３が取付けられている。従って、使用個所に応じた形態で、安定状態に、昇降枠８０を使用することができる。
【０００５】
このことは、図示しないが、幅方向に間隔をあけて垂直方向に伸延する一対の支柱と、支柱の上、下端同士を連結する上、下部連結管と、上端が支柱の外側面に揺動自在に枢支されると共に下端が支柱の下端面より下方に伸延して床面上に設置可能な補助支柱と、補助支柱と下部連結管との間に伸縮自在に開設され、補助支柱の幅方向の張り出し量を規制する張り出し量調整管とから構成される開口枠においても同様であった。
【０００６】
【発明が解決しようとする課題】
しかし、上記した開脚機能を有する昇降枠や開口枠は、未だ、以下の解決すべき課題を有していた。
即ち、通常、昇降枠８０の各支柱８１、８２及び補助支柱８５、８６の揺動脚９０は、それぞれ、中空筒状断面を有している。一方、昇降枠８０の各支柱８１、８２には、外方向に突出するブラケット９４を介して揺動脚９０の上端部が枢支されている。従って、図１０に仮想線で示すように、補助支柱８５、８６を、張り出し量調整管８８、８９が最大縮退位置にある位置に移動した場合においても、固定装置９２の内面が支柱８１、８２の外面に当接した状態になる。即ち、補助支柱８５、８６は支柱８１、８２から横側方にはみ出した状態となっているため、昇降枠８０の収納性や搬送性を十分に高めることができなかった。また、昇降枠８０はすっきりした形態とならないので美観の面においても劣っていた。このことは、矩形枠体からなる開口枠についても同様であった。
【０００７】
本発明は、このような事情に鑑みなされたものであり、補助支柱を支柱内に収納可能とすることによって、昇降枠や開口枠の収納性や搬送性を十分に高めることができ、かつ、収納時や搬送時における美観も向上することができる開脚機能を有する昇降枠及び開口枠を提供することを目的とする。
【０００８】
【課題を解決するための手段】
前記目的に沿う請求項１記載の開脚機能を有する昇降枠は、幅方向に間隔をあけて垂直方向に伸延する一対の支柱と、該支柱間に間隔をあけて横架される複数の踏み桟と、前記支柱の下端同士を連結する下部連結管と、上端が前記支柱の中途部に揺動自在に枢支されると共に下端が前記支柱の下端面より下方に伸延して床面上に設置可能な補助支柱と、該補助支柱と前記下部連結管との間に伸縮自在に開設され、前記補助支柱の幅方向の張り出し量を規制する張り出し量調整管とから構成される開脚機能を有する昇降枠において、
前記支柱の横断面を横側方に開口するコ字状断面に形成すると共に、前記補助支柱の横断面を前記コ字状断面に嵌入可能な形状となし、前記張り出し量調整管が最大縮退位置にあるとき、前記補助支柱が前記支柱内に嵌入され、
前記補助支柱は、前記支柱の外側面に揺動自在に支持される揺動脚と、該揺動脚に摺動自在に嵌入される伸縮脚と、前記揺動脚の内面下部に取付けられ前記揺動脚に前記伸縮脚を固定可能な固定装置とから構成され、前記支柱の下端部に前記固定装置を嵌入可能な貫通孔が形成され、前記最大縮退位置において、前記固定装置が前記貫通孔を通して前記支柱の内側に進出する。
【０００９】
【００１０】
請求項２記載の開脚機能を有する開口枠は、幅方向に間隔をあけて垂直方向に伸延する一対の支柱と、前記支柱の上、下端同士を連結する上、下部連結管と、上端が前記支柱の中途部に揺動自在に枢支されると共に下端が前記支柱の下端面より下方に伸延して床面上に設置可能な補助支柱と、該補助支柱と前記下部連結管との間に伸縮自在に開設され、前記補助支柱の幅方向の張り出し量を規制する張り出し量調整管とから構成される開脚機能を有する開口枠において、前記支柱の横断面を横側方に開口するコ字状断面に形成すると共に、前記補助支柱の横断面を前記コ字状断面に嵌入可能な形状となし、前記張り出し量調整管が最大縮退位置にあるとき、前記補助支柱が前記支柱内に嵌入され、前記補助支柱は、前記支柱の外側面に揺動自在に支持される揺動脚と、該揺動脚に摺動自在に嵌入される伸縮脚と、前記揺動脚の内面下部に取付けられ前記揺動脚に前記伸縮脚を固定可能な固定装置とから構成され、前記支柱の下端部に前記固定装置を嵌入可能な貫通孔が形成され、前記最大縮退位置において、前記固定装置が前記貫通孔を通して前記支柱の内側に進出する。
【００１１】
【００１２】
【発明の実施の形態】
続いて、添付した図面を参照しつつ、本発明を具体化した実施の形態につき説明し、本発明の理解に供する。
以下、図１〜図８を参照して、本発明の一実施の形態に係る開脚機能を有する昇降枠及び開口枠について説明する。なお、本実施の形態は、この昇降枠及び開口枠を、作業用足場台Ａに適用した場合である。
図１に示すように、作業用足場台Ａは、実質的に、上面に作業床面１０を有する横長矩形板からなる足場板１１と、それぞれ上端部が足場板１１の左右端部に折り畳み連結機構１２、１３を介して折り畳み自在に連結されると共に、下端が床面１４に載置される昇降枠１５と開口枠１６を具備する。
【００１３】
ここに、昇降枠１５は、図１、かつ、図３及び図４に示す側面視において、幅方向に所定の間隔を開けて垂直方向に伸延し、上端が足場板１１の左端部に折り畳み連結機構１２を介して連結される一対の左、右支柱１７、１８と、左、右支柱１７、１８間に上下方向に間隔を開けて横架される複数の踏み桟１９と、左、右支柱１７、１８の下端同士を連結する下部連結管２０と、上端が左、右支柱１７、１８の中途部であってその外側面に揺動自在に枢支されると共に下端が左、右支柱１７、１８の下端面より下方に伸延して床面１４に接地可能な左、右補助支柱２１、２２と、左、右補助支柱２１、２２と下部連結管２０との間に介設され、左、右補助支柱２１、２２の幅方向の張り出し量を規制する左、右張り出し量調整管２３、２４とを具備する。
【００１４】
左、右補助支柱２１、２２は、図１、図３〜図５に示すように、それぞれ、揺動脚２５に対して伸縮脚２６が入れ子式に摺動自在に挿入されている伸縮管構造を有すると共に、伸縮脚２６を任意の伸縮位置で固定することができる固定装置２７を揺動脚２５の内面下部に具備する。
また、図１、図３〜図５に示すように、下部連結管２０の両端部に対して左、右張り出し量調整管２３、２４を入れ子式に摺動自在に挿入することによって伸縮管構造が形成されると共に、左、右張り出し量調整管２３、２４を任意の伸縮位置で固定することができる固定装置２８を具備する。
【００１５】
一方、開口枠１６は、図１に示すように、幅方向に所定の間隔を開けて垂直方向に伸延し、上端が足場板１１の右端部に折り畳み連結機構１３を介して連結される一対の左、右支柱２９、３０と、左、右支柱２９、３０の下端同士を連結する下部連結管３１と、左、右支柱２９、３０の上端同士を連結する上部連結管３０ａと、上端が左、右支柱２９、３０の中途部であってその外側面に揺動自在に枢支されると共に下端が左、右支柱２９、３０の下端面より下方に伸延して床面１４に接地可能な左、右補助支柱３２、３３と、左、右補助支柱３２、３３の幅方向の張り出し量を規制する左、右張り出し量調整管３４、３５とを具備する。なお、上部連結管３０ａは、本実施の形態では、足場板１１の右端によって形成されている。
【００１６】
左、右補助支柱３２、３３は、図１に示すように、それぞれ、揺動脚３６に対して伸縮脚３７が入れ子式に摺動自在に挿入されている伸縮管構造を有すると共に、伸縮脚３７を任意の伸縮位置で固定することができる固定装置３８を揺動脚３６の内面下部に具備する。
また、下部連結管３１の両端部に対して左、右張り出し量調整管３４、３５を入れ子式に摺動自在に挿入することによって伸縮管構造が形成されると共に、左、右張り出し量調整管３４、３５を任意の伸縮位置で固定することができる固定装置３９を具備する。
【００１７】
本発明は、上記した構成を有する作業用足場台Ａにおいて、特に、図１及び図５〜図８を参照して、以下、詳細に説明するように、昇降枠１５及び開口枠１６の左、右支柱１７、１８、２９、３０の横断面を横側方に開口するコ字状断面に形成すると共に、左、右補助支柱２１、２２、３２、３３の横断面を上記したコ字状断面に嵌入可能な形状とし、左、右張り出し量調整管２３、２４、３４、３５が最大縮退位置にあるとき、左、右補助支柱２１、２２、３２、３３が左、右支柱１７、１８、２９、３０内に嵌入されるようにしたことに特徴を有する。
【００１８】
以下、昇降枠１５の左支柱１７と左補助支柱２１との関係について説明する。なお、昇降枠１５の右支柱１８と右補助支柱２２との関係、及び、開口枠１６の左、右支柱２９、３０と左、右補助支柱３２、３３との関係についても同様であるので、その説明は省略する。
図１及び図５〜図８に示すように、左支柱１７は、横側方に開口するチャンネル部材からなる。即ち、左支柱１７は、底板４０と、その両側縁から横側方に伸延する一対の側板４１、４２とから形成されており、その内部には、幅Ｗと深さＤを有する収納空間４３が形成されている。
【００１９】
一方、左補助支柱２１は、図７及び図８に示すように、外管を形成する揺動脚２５に対して内管を形成する伸縮脚２６が入れ子式に摺動自在に挿入されている伸縮管構造を有しており、揺動脚２５と伸縮脚２６は、共に、中空矩形断面を有する。そして、揺動脚２５は、前記した左支柱１７の収納空間４３の幅Ｗよりわずかに小さい幅ｗを有すると共に、前記した収納空間４３の深さＤの約４／３の高さＨを有している。なお、深さＤと高さＨは他の比率とする、例えば、等しくすることもできる。
従って、図４及び図６に示すように、左補助支柱２１を横移動することによって、左補助支柱２１を略完全に収納空間４３内に嵌入することができる。
【００２０】
また、図１、図５及び図６に示すように、左補助支柱２１の上端は左支柱１７内に嵌入されると共に、枢軸４４によって回動自在に左支柱１７に枢支されている。
一方、下部連結管２０に連結される左支柱１７の下端部には矩形の貫通孔４５が形成されており、この貫通孔４５の面積は、側面視からみた固定装置２７の投影面積より十分に大きくしている。
【００２１】
また、図９に示すように、本実施の形態では、左張り出し量調整管２３の先端開口部４６の開口面４７は、最大拡開位置における左補助支柱２１の傾斜角度に合わせて斜切されており、また、その底板４８には、後述する連結耳片４９の揺動を可能とするための切欠開口５０が形成されている。また、先端開口部４６の両側壁には枢軸挿通孔５１、５２が形成されている。
【００２２】
一方、左補助支柱２１の揺動脚２５の下端において、左張り出し量調整管２３の先端開口部４６と対応する面５３には、一対の連結耳片４９が突設されており、両連結耳片４９には、図９における正面視において、面５３と平行に伸延する縦長の透孔５４が形成されている。
【００２３】
そして、上記した連結耳片４９を左張り出し量調整管２３の先端開口部４６内に挿入すると共に、透孔５４の下部を枢軸挿通孔５１、５２と整合した状態で、枢軸５５を、枢軸挿通孔５１、両連結耳片４９の透孔５４、及び、枢軸挿通孔５２を通した後、先端ねじ部にナット５６を螺着することによって、揺動脚２５の下端に左張り出し量調整管２３の先端開口部４６を枢支状態に連結している。
【００２４】
上記した構成によって、図１や図５に示すように、昇降枠１５において、左、右補助支柱２１、２２を開脚した状態から、固定装置２８を緩めて、左、右補助支柱２１、２２が枢軸４４回りに揺動して左、右支柱１７、１８に向けて移動すると、左、右張り出し量調整管２３、２４が下部連結管２０内に徐々に嵌入され、この嵌入に連動して、左、右補助支柱２１、２２は、その上端から下端に向けて左、右支柱１７、１８の収納空間４３内に収納されることになる。そして、最後の段階でも、固定装置２７が貫通孔４５を通して左、右支柱１７、１８の内側に進出するので、左、右補助支柱２１、２２の下端も完全に収納空間４３内に収納され、図４及び図６に示す最大縮退位置を取ることができる。
【００２５】
また、図示しないが、開口枠１６における左、右補助支柱３２、３３も同様にして最大縮退位置を取らせることができる。
なお、図４においては、左、右補助支柱２１、２２における伸縮脚２６も揺動脚２５内に嵌入されている。
【００２６】
このように、本実施の形態では、最大縮退位置において、左、右補助支柱２１、２２、３２、３３をコ字状断面を有する左、右支柱１７、１８、２９、３０内に全体にわたって嵌入することができるので、昇降枠１５や、開口枠１６や、作業用足場台Ａの収納性及び搬送性を向上することができる。また、外観的にも、左、右補助支柱２１、２２、３２、３３が左、右支柱１７、１８、２９、３０から横側方に大きく突出していないので、コンパクトな印象を使用者や購買者に与えることができる。
【００２７】
また、本実施の形態では、図１、図７〜図９に示すように、左、右補助支柱２１、２２、３２、３３は、その外側をなす両コーナー部に斜切傾斜面５７、５８を形成しているので、左、右補助支柱の横断面を完全矩形断面とした場合と比較してコンパクトな形状とすることができ、この面からも、昇降枠１５や、開口枠１６や、作業用足場台Ａをコンパクトな外観とすることができる。また、鋭角部分を少なくすることができるので、昇降枠１５や、開口枠１６や、作業用足場台Ａの搬送時の安全性も向上することができる。
【００２８】
図示の実施の形態におけるその他の構成について説明すると、図１、図３〜図６に示すように、下部連結管２０、３１の両端と左、右支柱１７、１８、２９、３０との連結は、補強ブラケット５９によって補強されている。
【００２９】
また、図１に示す作業用足場台Ａにおいて、固定装置２７、３８は、本出願人が先に特開平９−１７７４６０号公報において開示した固定装置と同様な構成を有する。即ち、伸縮脚２６、３７の外側面にはラック溝が設けられ、このラック溝には、固定装置２７、３８内に設けられスプリングによって係合方向に付勢されたラック歯が着脱自在に係合されている。従って、伸縮脚２６、３７を任意の長さだけ伸長した後、固定装置２７、３８によってラック溝にラック歯を係合させることによって床面１４からの足場板１１までの高さを調整することができる。
【００３０】
また、図１に示す固定装置２８、３９も、本出願人が先に特開平９−１７７４６０号公報において開示した固定装置と同様な構成を有する。即ち、図３において、左、右張り出し量調整管２３、２４の端部内側には、板ばねをＵ字状に曲げて収納配設しており、同板ばねの一端に凸部を形成し、この凸部に左、右張り出し量調整管２３、２４に形成した孔に係合させると共に、板ばねの他端に位置決めピン６０を取付け、下部連結管２０の側壁に設けた位置決め孔６１及び左、右張り出し量調整管２３、２４に設けた貫通孔を挿通可能としている。なお、下部連結管２０には位置決め孔６１、６２が設けられている。
【００３１】
かかる構成によって、位置決めピン６０の先端部を下部連結管２０の内部側に押し込み、位置決めピン６０と位置決め孔６１と貫通孔との嵌合状態を開放することにより、左、右張り出し量調整管２３、２４を摺動自在とすることができるようになっている。また、左、右張り出し量調整管２３、２４を摺動して、位置決めピン６０が位置決め孔６２の位置にくると、再び位置決めピン６０と位置決め孔６２及び貫通孔が嵌合状態となり、左、右張り出し量調整管２３、２４が下部連結管２０より摺動できないようにして、左、右張り出し量調整管２３、２４の左右外側への張り出し量を調整できるようにしている。なお、本実施の形態では、位置決め孔６１、６２を左右２か所設けているので、左、右張り出し量調整管２３、２４を２位置に規制することができる。
【００３２】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。
【００３３】
【発明の効果】
請求項１、２記載の開脚機能を有する昇降枠及び開口枠においては、最大縮退位置において、補助支柱をコ字状断面を有する支柱内に全体にわたって嵌入することができるので、昇降枠や、開口枠や、これらを用いた作業用足場台等の収納性や搬送性を向上することができる。また、外観的にも、補助支柱が支柱から横側方に大きく突出していないので、コンパクトな印象を使用者や購買者に与えることができる。
【００３４】
また、請求項１、２記載の開脚機能を有する昇降枠及び開口枠においては、支柱の下端部には、補助支柱を構成する揺動脚と伸縮脚を固定する固定装置を嵌入可能な貫通孔が形成されており、最大縮退位置において、固定装置を貫通孔を通して支柱の内側に進出することができるので、補助支柱の伸縮機能を阻害することなく、昇降枠や、開口枠や、これらを用いた作業用足場台等をコンパクトな形状とすることができ、これらの収納性や搬送性をさらに高めることができる。
【図面の簡単な説明】
【図１】本発明の一実施の形態に係る開脚機能を有する昇降枠及び開口枠を具備する作業用足場台の斜視図である。
【図２】本発明の一実施の形態に係る開脚機能を有する昇降枠及び開口枠を具備する作業用足場台の正面図である。
【図３】本発明の一実施の形態に係る開脚機能を有する昇降枠及び開口枠を具備する作業用足場台の最大拡開位置における側面図である。
【図４】本発明の一実施の形態に係る開脚機能を有する昇降枠及び開口枠を具備する作業用足場台の最大縮退位置における側面図である。
【図５】最大拡開位置における昇降枠の要部拡大正断面図である。
【図６】最大縮退位置における昇降枠の要部拡大正断面図である。
【図７】図５のＩ−Ｉ線による断面図である。
【図８】図６のII−II線による断面図である。
【図９】最大拡開位置における昇降枠の要部拡大分解斜視図である。
【図１０】従来の開脚機能を有する開口枠を具備する作業用足場台の斜視図である。
【符号の説明】
Ａ  作業用足場台                    Ｄ  収納空間の深さ
Ｈ  揺動脚の高さ                    Ｗ  収納空間の幅
ｗ  揺動脚の幅                      １０  作業床面
１１  足場板                        １２  折り畳み連結機構
１３  折り畳み連結機構              １４  床面
１５  昇降枠                        １６  開口枠
１７  左支柱                        １８  右支柱
１９  踏み桟                        ２０  下部連結管
２１  左補助支柱                    ２２  右補助支柱
２３  左張り出し量調整管            ２４  右張り出し量調整管
２５  揺動脚                        ２６  伸縮脚
２７  固定装置                      ２８  固定装置
２９  左支柱                        ３０  右支柱
３０ａ  上部連結管                  ３１  下部連結管
３２  左補助支柱                    ３３  右補助支柱
３４  左張り出し量調整管            ３５  右張り出し量調整管
３６  揺動脚                        ３７  伸縮脚
３８  固定装置                      ３９  固定装置
４０  底板                          ４１  側板
４２  側板                          ４３  収納空間
４４  枢軸                          ４５  貫通孔
４６  先端開口部                    ４７  開口面
４８  底板                          ４９  連結耳片
５０  切欠開口                      ５１  枢軸連通孔
５２  枢軸連通孔                    ５３  面
５４  透孔                          ５５  枢軸
５６  ナット                        ５７  斜切傾斜面
５８  斜切傾斜面                    ５９  補強ブラケット
６０  位置決めピン                  ６１  位置決め孔
６２  位置決め孔
【図１】
0003938997.tif 000002
【図２】
0003938997.tif 000003
【図３】
0003938997.tif 000004
【図４】
0003938997.tif 000005
【図５】
0003938997.tif 000006
【図６】
0003938997.tif 000007
【図７】
0003938997.tif 000008
【図８】
0003938997.tif 000009
【図９】
0003938997.tif 000010
【図１０】
0003938997.tif 000011